(57)【要約】【課題】本発明は、複数の無垢の木の板の裏面に強度を有するネットを強固に接着剤貼り付着させた、ネット貼りで集成した無垢の木の板材を提供。【解決手段】無垢の木の板２の側面を凹状の溝加工３をし、裏面を適宜の間隔に板厚の半分程度までの暴れ防止の切り目４をいれた複数枚の無垢の木の板２を、巾２０ミリ程度の目地間隔を空け、フローリング張り状に平面に並べ、暴れ防止切り目４をいれた面に強度を有するネット５を強固に接着剤貼り付着させた無垢の木の板材１を地盤面１５にバサモルタル６を敷き均し、セメントペースト７を用いて貼り、その無垢の木の板材１の目地にモルタル８を充填して仕上げとすることを特徴とする。【選択図】  図３
2008240400.tif 000002
【特許請求の範囲】
【請求項１】
適宜の寸法に切り使いが可能な無垢の木の板を複数枚、所定の目地間隔を空け、フローリング張り状に平面に並べ、裏面に強度を有するネットを強固に接着剤貼り付着させて無垢の木の集成板とすることを特徴とする、ネット貼りで集成した無垢の木の板材。
【請求項２】
前記、ネット貼りで集成した無垢の木の板材であって、無垢の木の板の側面を凹状の溝加工をして、モルタル目地が形成できる巾２０ミリ程度の目地間隔を空け、フローリング張り状に平面に並べ、裏面に強度を有するネットを強固に接着剤貼り付着させて無垢の木の集成板とすることを特徴とする、ネット貼りで集成した無垢の木の板材。
【請求項３】
前記、ネット貼りで集成した無垢の木の板材であって、無垢の木の板の裏面を適宜の間隔に板厚の半分程度までの暴れ防止の切り目をいれた複数枚の無垢の木の板を、巾２０ミリ程度の目地間隔を空け、フローリング張り状に平面に並べ、暴れ防止切り目をいれた面に強度を有するネットを強固に接着剤貼り付着させて無垢の木の集成板とすることを特徴とする、ネット貼りで集成した無垢の木の板材。
【請求項４】
前記、ネット貼りで集成した無垢の木の板材と無垢の木の蹴込み板を化粧打ち込み型枠として、コンクリート階段を構築することを特長とする、ネット貼りで集成した無垢の木の板材を用いてコンクリートの階段を構築する工法。
【請求項５】
前記、ネット貼りで集成した無垢の木の板材と無垢の木の蹴込み框を一体として、バサモルタルで階段を構築することを特長とする、ネット貼りで集成した無垢の木の板材を用いてバサモルタルの階段を構築する工法。
【請求項６】
バサモルタルを布設してセメントペーストで無垢の木の板材を貼り、無垢の木の板材の目地にモルタルを充填して無垢の木の板床となす、無垢の木の板材に接着剤貼り付着させた強度を有するネットを、補強筋としたバサモルタルと一体の無垢の木の板床を構築することを特徴とする、無垢の木の板床構築工法。
【請求項７】
下地材にセメントペーストで無垢の木の板材を貼り、無垢の木の板材の目地にモルタルを充填して無垢の木の板床となす、無垢の木の板材に接着剤貼り付着させた強度を有するネットを、補強筋とした下地材と一体の無垢の木の板床を構築することを特徴とする、無垢の木の板床構築工法。
【発明の詳細な説明】
【技術分野】
【０００１】
本発明は、鉄筋コンクリート造の化粧打ち込み型枠やエクステリアの階段から無垢の木の板床の構築まで多目的に利用できる、ネット貼りで集成した無垢の木の板材に関するものである。
【背景技術】
【０００２】
現在の床材は、新素材により様々な新しい床材が市場に氾濫して容易に選択できる時代である。それらは耐候性や耐磨耗性等が配慮された多彩で豊富な床材ではあるが、木の文化を育んできた日本人は感覚的あるいは視覚的に心温まる無垢の木の素材を求めている。しかしながら屋外の無垢の木の利用は腐食や反りなどの不具合を生じるため微少の利用に留まっている。
【０００３】
他方、間伐材を活用した天然木製床材の天然木タイルが開発されている。これらは無垢の木を多種多様な形状にタイル加工をして複数枚をブロック形成して補強細棒材また固定金具でブロック固定をして追随性付着ネットを貼った木製タイルブロックであって、木製タイルブロックが軟弱な地盤の上に構築できる補強材となるわけではない、また、化粧型枠として利用できるわけでもない。そのほかに木製タイルブロックが普及しないのは利用目的に合わせた役物がないこととコストが高くつくことにある。
【０００４】
天然木製床材を普及させることは、林業の活性化が図れると共に、地球温暖化を防止するためにも大切である。
【０００５】
なお、本願発明に関連する公知技術として、木製タイルブロック（特許文献１参照）を挙げることができる。
【０００６】
【特許文献１】特許公開平８−１７７２１８
【発明の開示】
【発明が解決しようとする課題】
【０００７】
従来の無垢の木の板床の構築には次の問題があった。
無垢の木の板床を構築する場合、木製床組み下地が必要である。
無垢の木の板床は木製床組み下地の腐食や技能者が必要でありコスト高である。
木製タイルブロックは複雑な工程で製作されるためコスト高となる。
木製タイルブロックは無垢の木のタイル床としての利用以外に利用できない。
木製タイルブロックは小さくタイルにしたもので板床としての風合いがない。
【０００８】
本発明は以上のような従来の欠点に鑑みて、複数の無垢の木の板をフローリング張り状に平面に並べ、裏面に強度を有するネットを強固に接着剤貼り付着させた、ネット貼りで集成した無垢の木の板材を提供する。
【課題を解決するための手段】
【０００９】
本発明は、上記の課題を解決するためになされたもので、請求項１記載の、適宜の寸法に切り使いが可能な無垢の木の板を複数枚、所定の目地間隔を空け、フローリング張り状に平面に並べ、裏面に強度を有するネットを強固に接着剤貼り付着させて無垢の木の集成板とすることを特徴とする。このような構成とすれば、無垢の木の反りが防止できると共に無垢の木の板と強度を有するネットが一体となり強固な板材となる。また、根太組みも必要としない無垢の木の板床が容易に構築できる。
【００１０】
請求項２記載の、前記、ネット貼りで集成した無垢の木の板材であって、無垢の木の板の側面を凹状の溝加工をして、モルタル目地が形成できる巾２０ミリ程度の目地間隔を空け、フローリング張り状に平面に並べ、裏面に強度を有するネットを強固に接着剤貼り付着させて無垢の木の集成板とすることを特徴とする。このような構成とすれば、目地にモルタルを充填することで、凹溝にモルタルが侵入して乾燥凝固でモルタル目地部材となり無垢の木の板を強固に固定し、モルタルが無垢の木の磨耗を低減すると共に滑り止めとなる、また、ネット貼りすることで無垢の木の腐食防止と下地材との結合を強固にする。
【００１１】
請求項３記載の、前記、ネット貼りで集成した無垢の木の板材であって、無垢の木の板の裏面を適宜の間隔に板厚の半分程度までの暴れ防止の切り目をいれた複数枚の無垢の木の板を、巾２０ミリ程度の目地間隔を空け、フローリング張り状に平面に並べ、暴れ防止切り目をいれた面に強度を有するネットを強固に接着剤貼り付着させて無垢の木の集成板とすることを特徴とする。このような構成とすれば、無垢の木の習性である暴れや反りが防止できると共に暴れ防止切り目に接着剤が浸入し強度を有するネットと無垢の木の板が一体となり強固なネット貼りで集成した無垢の木の板材となる。
【００１２】
請求項４記載の、前記、ネット貼りで集成した無垢の木の板材と無垢の木の蹴込み板を化粧打ち込み型枠として、コンクリート階段を構築することを特長とする。このような構成とすれば、従来の鉄筋コンクリート造の複雑なコンクリート階段の仕上げ工事を必要としない、無垢の木の化粧打ち込み型枠を仕上げとするコンクリート階段が容易に構築できる。
【００１３】
請求項５記載の、前記、ネット貼りで集成した無垢の木の板材と無垢の木の蹴込み框を一体として、バサモルタルで階段を構築することを特長とする。このような構成とすれば、エクステリアのバサモルタルと一体の無垢の木の階段が容易に構築できる。
【００１４】
請求項６記載の、バサモルタルを布設してセメントペーストで無垢の木の板材を貼り、無垢の木の板材の目地にモルタルを充填して無垢の木の板床となす、無垢の木の板材に接着剤貼り付着させた強度を有するネットを、補強筋としたバサモルタルと一体の無垢の木の板床を構築することを特徴とする。このような構成とすれば、軟弱な地盤でも無垢の木の板材とバサモルタルが一体となり強固な無垢の木の板床が構築できる。
【００１５】
請求項７記載の、下地材にセメントペーストで無垢の木の板材を貼り、無垢の木の板材の目地にモルタルを充填して無垢の木の板床となす、無垢の木の板材に接着剤貼り付着させた強度を有するネットを、補強筋とした下地材と一体の無垢の木の板床を構築することを特徴とする。このような構成とすれば、既設のコンクリートやモルタルなどの床の上に容易に無垢の木の板床が構築できる。また、発泡樹脂板の上にでも容易に無垢の木の板床が構築できる。
【発明の効果】
【００１６】
以上説明したように本発明によれば、無垢の木の板の側面を凹状に加工して、モルタル目地部材が形成できる巾２０ミリ程度の目地間隔を空け、フローリング張り状に平面に並べ、裏面に強度を有するネットを強固に接着剤貼り付着させて、ネット貼りで集成した無垢の木の板材とすることで屋外の利用が可能となり、玄関アプローチからガレージ・テラスの床まで無垢の木の板床が容易に構築できる。また、ネット貼りで集成した無垢の木の板材は加工と施工が容易であり、既設のテラスやバルコニーの床などの床の上に無垢の木の板床が安価且つ容易に構築できる。利用範囲も広くなる。無垢の木の板材の目地処理についてはモルタルの充填や無垢の木を詰め込むなど適宜選択できる。
【００１７】
また、無垢の木の板の裏面を適宜の間隔に板厚の半分程度までの暴れ防止切り目をいれた複数枚の無垢の木の板を、巾２０ミリ程度の目地間隔を空け、フローリング張り状に平面に並べ、暴れ防止切り目をいれた面に強度を有するネットを強固に接着剤貼り付着させて、ネット貼りで集成した無垢の木の板材とすることで、無垢の木の欠点でもある暴れや反りが防止できると共に強度を有するネットをより強固に接着剤貼り付着させることができる。また、強度を有するネットを接着剤貼り付着させることで無垢の木の板の付着面からの湿気を遮断して無垢の木の板の腐食を防止する効果もある。特筆すれば、バサモルタルの上にネットを接着剤貼り付着させた無垢の木の板材を貼り付けた場合、ネットが補強筋の役割をなし、強固な無垢の木の板床が安価且つ容易に構築できる。
【００１８】
他方、前記したネット貼りで集成した無垢の木の板材と無垢の木の蹴込み板を化粧打ち込み型枠として、従来の鉄筋コンクリート造の複雑なコンクリート階段の仕上げ工事を必要としない、無垢の木の化粧打ち込み型枠を仕上げとするコンクリート階段が安価且つ容易に構築できる。また、前記した無垢の木の板床に関連する無垢の木の階段も容易に構築できる。
【００１９】
以上、本発明のネット貼りで集成した無垢の木の板材を内地材にすることで、地球温暖化による異常気象が危惧されている現在、林業過疎地の活性化や地球温暖化防止に小さな貢献ができる。また、低コストの無垢の木の板床の構築を可能にする。
【発明を実施するための最良の形態】
【００２０】
以下、本発明の実施の形態を図面に基づき詳細に説明する。
【００２１】
図１〜図７は本発明の実施の形態に係り、図１は本発明の無垢の木の板材の断面詳細図、図２は無垢の木の板材の平面詳細図、図３はバサモルタルで施工した無垢の木の板床の断面詳細図、図４はバサモルタルで施工した無垢の木の板床の平面詳細図、図５は発泡断熱材の上に施工した無垢の木の板床の断面詳細図、図６はバサモルタルで施工した無垢の木の階段の断面詳細図、図７は無垢の木の板材を化粧打ち込み型枠として構築したコンクリート階段の断面詳細図である。
【００２２】
本発明の無垢の木の板床を構築せしめる、ネット貼りで集成した無垢の木の板材１においては、図１に示すように、無垢の木の板２の側面を凹状の溝加工３をし、裏面を適宜の間隔に板厚の半分程度までの暴れ防止の切り目４をいれた複数枚の無垢の木の板２を、巾２０ミリ程度の目地間隔を空け、フローリング張り状に平面に並べ、暴れ防止切り目４をいれた面に強度を有するネット５を強固に接着剤貼り付着させた、無垢の木の板材の断面詳細図である。
【００２３】
図２はネット貼りで集成した無垢の木の板材１の裏面と表面を示した平面詳細図で、暴れ防止の切り目４をいれた複数枚の無垢の木の板２を、巾２０ミリ程度の目地間隔を空け、フローリング張り状に平面に並べ、暴れ防止切り目４をいれた面の全面に強度を有するネット５を強固に接着剤貼り付着させた無垢の木の板材１である。
【００２４】
図３はバサモルタルで施工した無垢の木の板床の断面詳細図で、地盤面１５にバサモルタル６を敷き均し、セメントペースト７を用いて無垢の木の板材１を貼る。その無垢の木の板材１の目地にモルタル８を充填して仕上げとしたものである。
【００２５】
図４はバサモルタルで施工した無垢の木の板床の平面詳細図である。
【００２６】
図５は発泡断熱材の上に施工した無垢の木の板床の断面詳細図で、地盤面１５に発泡断熱材１４を敷き並べて、セメントペースト７を用いて無垢の木の板材１を貼る。その無垢の木の板材１の目地にモルタル８を充填して仕上げとしたものである。
【００２７】
図６はバサモルタルで施工した無垢の木の階段の断面詳細図で、地盤面１５を階段状に切り取り、また、均した上に図６に示すように、無垢の木の蹴込み框に無垢の木の板材１をビス１０で固定をして、バサモルタル６とセメントペースト７を用いて無垢の木の階段を構築して、無垢の木の板材１の目地にモルタル８を充填して仕上げとしたものである。
【００２８】
図７は無垢の木の板材１を化粧打ち込み型枠として構築したコンクリート階段の断面詳細図で、詳細な説明については実施例４で記載する。
【実施例１】
【００２９】
バサモルタルで無垢の木の板床を構築する場合、地盤面１５又はコンクリートなどの床盤の上にバサモルタル６を敷き均し、セメントペースト７を用いて無垢の木の板材１を貼る。その無垢の木の板材１の目地にモルタル８を充填して無垢の木の板床(図３、図４参照)仕上げとすることで、強度を有するネット５が補強筋の役割をなし、バサモルタル６と無垢の木の板材１が一体となり強固な無垢の木の板床が安価且つ容易に構築できる。
【実施例２】
【００３０】
発泡断熱材の上に無垢の木の板床を構築する場合、図５に示すように、発泡断熱材１４を敷き並べて、セメントペースト７を用いて無垢の木の板材１を貼る。その無垢の木の板材１の目地にモルタル８を充填して仕上げとすることが可能である。無垢の木の板材１はセメントペースト７で貼れるため、既設の屋上やテラス・バルコニーなど利用範囲が広い。また、従来の塗布防水やシート防水の上に防水の保護床としての利用も可能である。
【実施例３】
【００３１】
地盤に段差がある場合、図６に示すように、地盤面１５を階段状に切り取り、また、均した上に無垢の木の蹴込み框に無垢の木の板材１をビス１０で固定をして、バサモルタル６とセメントペースト７を用いて無垢の木の階段を構築して、無垢の木の板材１の目地にモルタル８を充填して仕上げとすることで、バサモルタル６・無垢の木の板材１・無垢の木の蹴込み框９が一体となり強固な無垢の木の階段が安価且つ容易に構築できる。
【実施例４】
【００３２】
鉄筋コンクリート造の構築物の階段を構築する場合、無垢の木の板材１(踏み面板)と無垢の木の蹴込み板１１を設計図書に定められた、蹴上げ・踏み面・階段巾の寸法に加工したものを構築現場の型枠組に追随して図７に示すように、ビス１０で本固定をしてコンクリート１２を打設する。その場合、コンクリート１２の打設による打設側圧は無垢の木の板材１に設けた目地から空気と水が抜けるため小さくなる。無垢の木の板材１や無垢の木の蹴込み板１１は化粧床板として残すため、コンクリート１２の打設後、無垢の木の板材１(踏み面板)の目地にモルタル８を充填して仕上げとする。コンクリート１２が凝固乾燥後ノンスリップを付けることで、複雑なコンクリート１２階段の仕上げを必要としない、無垢の木のコンクリート１２階段が容易に構築できる。
【００３３】
以上、本発明の実施の形態及び実施例を説明したが、本発明の範囲はこれに限定されるものではない。例えば、無垢の木の板材１の目地処理は無垢の木や金属など使用目的に応じて変更するなど適宜選択されるものである。
【図面の簡単な説明】
【００３４】
【図１】本発明の無垢の木の板材の断面詳細図である。
【図２】無垢の木の板材の平面詳細図である。
【図３】バサモルタルで施工した無垢の木の板床の断面詳細図である。
【図４】バサモルタルで施工した無垢の木の板床の平面詳細図である。
【図５】発泡断熱材の上に施工した無垢の木の板床の断面詳細図である。
【図６】バサモルタルで施工した無垢の木の階段の断面詳細図である。
【図７】無垢の木の板材を化粧打ち込み型枠として構築したコンクリート階段の断面詳細図である。
【符号の説明】
【００３５】
無垢の木の板材
無垢の木の板
凹状の溝加工
暴れ防止の切り目
強度を有するネット
バサモルタル
セメントペースト
モルタル
無垢の木の蹴込み框
ビス
無垢の木の蹴込み板
コンクリート
ノンスリップ
発泡断熱材
地盤面
【図１】
2008240400.tif 000003
【図２】
2008240400.tif 000004
【図３】
2008240400.tif 000005
【図４】
2008240400.tif 000006
【図５】
2008240400.tif 000007
【図６】
2008240400.tif 000008
【図７】
2008240400.tif 000009